(57)【要約】【課題】サムネイル画像の選択と切り替えを簡単な操作で実行でき、画像データのバックバッファとして使用するメモリの容量に制限があってもサムネイル画像の選択や切り替え、及び画像データの表示を、ユーザが煩わしさを感じることなく迅速に実行できるようにする。【解決手段】マイコン２６は、ＵＳＢメモリの画像データを読み出して、ディスプレイ表示部１７に表示させる。その際に、ＵＳＢメモリの画像データのサムネイル画像を表示させ、サムネイル画像の選択に応じて画像データを表示させる。その際に、画像データの配列の最後にフォーカスが位置している場合、現在の表示を変更することなく、現在表示しているサムネイル画像の次の一画面分のサムネイル画像を生成してＲＡＭ２７のバックバッファに保持しておき、次の画面に切り替える操作入力があった場合に、ＲＡＭ２７に保持しておいたサムネイル画像を表示させる。【選択図】図１
2010049317.tif 000002
【特許請求の範囲】
【請求項１】
表示部と、外部メモリを接続するためのインタフェースと、ユーザによる操作入力を受け付ける操作入力部と、前記外部メモリに記憶した画像データを読み出して該画像データを前記表示部に表示させる制御を行う表示制御部とを備え、該表示制御部は、前記外部メモリに記憶した画像データのサムネイル画像を生成して前記表示部に表示し、前記操作入力部に対する操作入力に応じてサムネイル画像を選択し、選択したサムネイル画像に該当する画像データを前記表示部に表示させる表示装置において、
前記表示制御部は、前記サムネイル画像を生成する際に、前記表示部の一画面に表示する所定数のサムネイル画像を生成して表示する処理を行い、前記一画面に表示した所定数のサムネイル画像のうち、画像データの配列の最後に前記選択を行うためのフォーカスが位置している場合、前記現在の表示を変更することなく、現在表示しているサムネイル画像の次の一画面分のサムネイル画像を生成して、前記表示装置が備える記憶部に保持しておき、前記操作入力部に対して前記次の一画面に表示すべきサムネイル画像に前記フォーカスを移動させる指示入力があった場合に、前記記憶部に保持しておいたサムネイル画像を表示させることを特徴とする表示装置。
【請求項２】
請求項１に記載の表示装置において、前記表示制御部は、前記一画面に表示した所定数のサムネイル画像のうち、前記画像データの配列の最初に前記フォーカスが位置している場合、前記現在の表示を変更することなく、現在表示しているサムネイル画像の前の一画面分のサムネイル画像を生成して、前記表示装置が備える記憶部に保持しておき、前記操作入力部に対して前記前の一画面に表示すべきサムネイル画像に前記フォーカスを移動させる指示入力があった場合に、前記記憶部に保持しておいたサムネイル画像を表示させることを特徴とする表示装置。
【請求項３】
請求項１または２に記載の表示装置において、前記一画面に表示した所定数のサムネイル画像から１つのサムネイル画像を選択するために前記フォーカスを移動させる操作入力を、前記操作入力部に備えられた方向キーによって実行可能とするとともに、前記サムネイル画像を次または前のサムネイル画像に切り替える操作入力を、前記方向キーによって実行可能としたことを特徴とする表示装置。
【請求項４】
請求項１〜３のいずれか１に記載の表示装置において、前記表示制御部は、前記サムネイル画像を生成する場合、前記外部メモリに記録した画像データのサムネイル画像を読み出して前記生成に使用するか、もしくはサムネイル画像がない画像データの場合には、画像データ自体を読み出して該画像データからサムネイル画像を生成するか、または該サムネイル画像の生成の際に、前記表示部で表示することができない画像データである場合には、表示できないことを明示する表示を行うことを特徴とする表示装置。
【請求項５】
請求項１〜４のいずれか１に記載の表示装置において、前記表示制御部は、前記サムネイル画像のうちの１つが選択され、該選択されたサムネイル画像に該当する画像データを前記表示部に表示しているとき、次に表示すべき画像データを前記外部メモリから読み出して展開し、前記記憶部に記憶保持しておくことを特徴とする表示装置。
【請求項６】
請求項１〜４のいずれか１に記載の表示装置において、前記表示制御部は、前記外部メモリに記憶した画像データを前記表示部に順次表示させるスライドショーの実行機能を有し、前記スライドショーを実行中に一の画像データを前記表示部に表示しているとき、次に表示すべき画像データを前記外部メモリから読み出して展開し、前記記憶部に記憶保持しておくことを特徴とする表示装置。
【請求項７】
請求項５または６に記載の表示装置において、前記表示制御部は、前記画像データを前記外部メモリから読み出して展開する際に、次に配列されている画像データが、前記表示部で表示できない画像データである場合、該表示できない画像データをスキップし、前記表示部で表示可能な画像データを前記次に表示すべき画像データとして展開し、前記記憶部に記憶保持しておくことを特徴とする表示装置。
【発明の詳細な説明】
【技術分野】
【０００１】
本発明は、表示装置、より詳細には、サムネイル画像を利用して画像選択を行い、選択された画像を表示する表示装置に関する。
【背景技術】
【０００２】
例えばＰＣ（パソコン）やレコーダ等に記録された多数の画像データの中から、所望の画像データを一覧的に提示し、提示した画像データからユーザが所望の画像データを選択し、選択した画像データを表示できる技術が知られている。このような技術は、携帯電話等の情報端末においても実施されている。
また、可搬型の各種の記憶媒体に記憶された画像データを表示装置に取り込んで表示できるようにしたものも一般的である。このような機能は、テレビなどの表示装置においても実現されている。
【０００３】
可搬型記憶媒体の外部メモリに記録した画像データをテレビなどの表示装置に取り込んで一覧的に提示する手法として、例えば、外部メモリに記憶された画像データ（画像データ本体）のファイルに含まれるサムネイル画像、もしくは画像データから生成したサムネイル画像を表示装置の表示画面に一覧的に表示し、その一覧表示したサムネイル画像のなかから、ユーザ操作による任意の画像選択を受け付けて、選択されたサムネイル画像に該当する画像データ（画像データ本体）を表示画面に表示させるようにするものがある。
【０００４】
また、外部メモリから画像データを読み出して、スライドショーとして１画像ずつ表示させる機能をもつ表示装置もある。スライドショーを行う場合には、外部メモリから画像データを１枚ずつ読み出して表示させるか、あるいは外部メモリが挿入された際に外部メモリに記録された画像データを全て読み出しておく必要がある。
【０００５】
外部メモリから画像データを読み出して表示させる技術に関し、例えば特許文献１には、可搬型記録媒体からの画像データの読み出し時間をユーザに意識させることなく可搬型記録媒体の内容をスライドショーとして表示させるようにした画像再生装置が開示されている。この画像再生装置は、可搬型記録媒体が装着されたことを検知し、可搬型記録媒体からディレクトリおよび静止画データファイルを読み出して一時記憶領域に書き込む。そして、ディレクトリに対応するアルバムのアルバム情報を作成してアルバムリストに追加し、静止画データファイルに対応するフォトのフォト情報を作成してフォトリストに追加する。さらに、アルバムリストおよびフォトリストを適宜読み出すことにより、静止画データファイルに対応するフォトを表示させる。
【特許文献１】特開２００５−７９８２２号公報
【発明の開示】
【発明が解決しようとする課題】
【０００６】
テレビなどの表示装置で、外部メモリ等に記録した画像データをサムネイル画像によって一覧的に表示する場合、表示装置では、通常所定数のサムネイル画像を一画面内に表示させる。ここで外部メモリに記録された画像データのサムネイル画像を一画面内に表示しきれない場合には、所定のユーザ操作に従って、サムネイル表示画面を切り替えて、最初の一画面では表示できなかった画像データのサムネイル画像を一覧で表示させる。そして、外部メモリの画像データの数に従って、複数のサムネイル表示画面を順に切り替え可能とする。
【０００７】
このようなサムネイル表示画面に一覧的に表示された複数のサムネイル画像からユーザが任意のサムネイル画像を選択する操作、及びサムネイル表示画面を切り替えて、次の（もしくは前の）サムネイル表示画面を表示させる操作は、表示装置の所定の操作入力手段によって実行することができる。テレビなどの表示装置では、主にリモコンが使用される。
【０００８】
テレビのリモコンを使用して一画面内のサムネイル画像から任意のサムネイル画像を選択する場合には、ユーザは、例えばリモコンの方向キーを操作して、フォーカス（カーソル）を任意の方向に移動させ、所望のサムネイル画像上にフォーカスをおき、決定キーを押すことでそのサムネイル画像に該当する画像データを表示させることができる。
一方、サムネイル表示画面を切り替える場合には、例えば、リモコンの方向キーを操作して、サムネイル表示画面に表示されている矢印ボタンなどにフォーカスを移動させ、続いてリモコンの決定キーを押すことでサムネイル表示画面が切り替わるようになっていた。
あるいは、リモコン内の他の所定のキーを操作することで、サムネイル画像の切り替えを行うことができるものもあった。
【０００９】
しかしながら、サムネイル表示画面の切り替えを行うときに、画面内の矢印キーを選択した上で決定キーを操作する必要があるのは操作が煩雑である。また、他のキーを用いないとサムネイル表示画面が切り替えられない場合も、その操作がわかりにくく煩雑である。
【００１０】
また、サムネイル表示画面を切り替えるときに、テレビなどの表示装置では、ユーザに違和感を生じさせないようにするために、切り替え後のサムネイル表示画面をできるだけ早く表示させることが望ましい。このとき、表示装置のメモリや制御系のリソースが十分であれば、予め、外部メモリに記録されている画像データのサムネイル画像を全て読み込んで、もしくは読み込んだ画像データからサムネイル画像を生成してバックバッファに保持しておくことで、ユーザ操作によるサムネイル画像の切り替え指示に際してただちに目的のサムネイル表示画面を表示させることができる。
【００１１】
しかしながら、例えば情報処理装置側のメモリにおいて、画像データのバックバッファとして使用できる容量に制限があり、上記のように事前にサムネイル画像を用意する処理を実行できる能力がない場合には、サムネイル表示画面の切り替え時に時間がかかってしまうという問題が生じる。
このような場合、例えば、サムネイル表示画面を切り替えるユーザ操作が行われたときに表示装置では、その切り替え操作に従って、表示すべきサムネイル画像の読み出しを開始し、もしくは表示すべきサムネイル画像を生成するための画像データの読み出しを開始し、表示できる状態になったときに順次表示させることになる。画像データは、例えばＪＰＥＧ（Joint Photographic Experts Group）のような圧縮ファイルとして記録されていることが一般的であり、サムネイル画像も同様である。この圧縮ファイルを展開（解凍）する処理を行って表示させる必要がある。従って、サムネイル表示画面の切り替え操作後に、外部メモリからサムネイル画像や、サムネイル画像を生成するための画像データを読み出して表示するための処理に時間がかかり、ユーザが煩わしさを感じるという問題があった。
【００１２】
このような問題は、画像データ（画像データ本体）を順次選択して表示させていく場合や、画像データを自動的に切り替えて表示するスライドショーを実行する場合にも同様であった。つまり、画像データを順に表示画面に表示させていく処理を実行する場合、上記のように表示装置側のメモリや制御系の能力が十分にあれば、外部メモリに記録した全ての画像データを予め読み出して保持しておけばよい。しかしながら、使用できるメモリの容量に制限がある場合には、画面を切り替えるときに外部メモリから画像を読み出してその都度展開する処理が必要となり、画像データの切り替えがスムーズにいかず、ユーザが煩わしさを感じるという問題があった。
【００１３】
特許文献１では、可搬型記録媒体からの画像データの読み出し時間をユーザに意識させることなく、可搬型記録媒体の内容を表示させるようにしている。しかしながら、可搬型記録媒体が装着されたときに静止画データファイルを全て読み出して一時記憶領域に書き込むようにしているため、表示装置のメモリ容量に制限がある場合には快適な動作を保証することはできない。
【００１４】
本発明は、上述のごとき実情に鑑みてなされたものであり、多数の画像データのサムネイル画像の選択と切り替えを簡単な操作で実行でき、画像データのバックバッファとして使用するメモリの容量に制限があってもサムネイル画像の選択や切り替え、及び画像データの表示を、ユーザが煩わしさを感じることなく迅速に実行できるようにした表示装置を提供することを目的とする。
【課題を解決するための手段】
【００１５】
上記課題を解決するために、本発明の第１の技術手段は、表示部と、外部メモリを接続するためのインタフェースと、ユーザによる操作入力を受け付ける操作入力部と、外部メモリに記憶した画像データを読み出して該画像データを表示部に表示させる制御を行う表示制御部とを備え、表示制御部が、外部メモリに記憶した画像データのサムネイル画像を生成して表示部に表示し、操作入力部に対する操作入力に応じてサムネイル画像を選択し、選択したサムネイル画像に該当する画像データを表示部に表示させる表示装置において、表示制御部がサムネイル画像を生成する際に、表示部の一画面に表示する所定数のサムネイル画像のみを生成して表示する処理を行い、一画面に表示した所定数のサムネイル画像のうち、予め定めた画像データの配列の最後に選択を行うためのフォーカスが位置している場合、現在の表示を変更することなく、現在表示しているサムネイル画像の次の一画面分のサムネイル画像を生成して、表示装置が備える記憶部に保持しておき、操作入力部に対して次の一画面に表示すべきサムネイル画像にフォーカスを移動させる指示入力があった場合に、記憶部に保持しておいたサムネイル画像を表示させることを特徴としたものである。
【００１６】
第２の技術手段は、第１の技術手段において、表示制御部が、一画面に表示した所定数のサムネイル画像のうち、予め定めた画像データの配列の最初に前記選択を行うためのフォーカスが位置している場合、現在の表示を変更することなく、現在表示しているサムネイル画像の前の一画面分のサムネイル画像を生成して、表示装置が備える記憶部に保持しておき、操作入力部に対して前の一画面に表示すべきサムネイル画像にフォーカスを移動させる指示入力があった場合に、記憶部に保持しておいたサムネイル画像を表示させることを特徴としたものである。
【００１７】
第３の技術手段は、第１または第２の技術手段において、一画面に表示した所定数のサムネイル画像から１つのサムネイル画像を選択するためにフォーカスを移動させる操作入力を、操作入力部に備えられた方向キーによって実行可能とするとともに、サムネイル画像を次または前のサムネイル画像に切り替える操作入力を、方向キーによって実行可能としたことを特徴としたものである。
【００１８】
第４の技術手段は、第１〜第３のいずれか１の技術手段において、表示制御部がサムネイル画像を生成する場合、外部メモリに記録した画像データのサムネイル画像を読み出して生成に使用するか、もしくはサムネイル画像がない画像データの場合には、画像データ自体を読み出して該画像データからサムネイル画像を生成するか、またはサムネイル画像の生成の際に、表示部で表示することができない画像データである場合には、表示することができない画像データのサムネイル画像に、表示できないことを明示する表示を行うことを特徴としたものである。
【００１９】
第５の技術手段は、第１〜第４のいずれか１の技術手段において、サムネイル画像のうちの１つが選択され、選択されたサムネイル画像に該当する画像データを表示部に表示しているとき、表示制御部が、予め定めた画像データの配列に従って次の画像データを前記外部メモリから読み出して展開し、記憶部に記憶保持しておくことを特徴としたものである。
【００２０】
第６の技術手段は、第１〜第４のいずれか１の技術手段において、表示制御部が、外部メモリに記憶した画像データを表示部に順次表示させるスライドショーの実行機能を有し、スライドショーを実行中に一の画像データを表示部に表示しているとき、予め定めた画像データの配列に従って次の画像データを外部メモリから読み出して展開し、記憶部に記憶保持しておくことを特徴としたものである。
【００２１】
第７の技術手段は、第５または第６の技術手段において、表示制御部が、次の画像データを外部メモリから読み出して展開する際に、展開の対象の画像データが表示部で表示できない画像データである場合、表示できない画像データの次の画像データを展開して記憶部に記憶保持しておくことを特徴としたものである。
【発明の効果】
【００２２】
本発明によれば、多数の画像データのサムネイル画像の選択と切り替えを簡単な操作で実行でき、画像データのバックバッファとして使用するメモリの容量に制限があってもサムネイル選択や切り替え、及び画像データの表示を、ユーザが煩わしさを感じることなく迅速に実行できるようにした表示装置を提供することができる。
【発明を実施するための最良の形態】
【００２３】
図１は、本発明の表示装置の構成例を示すブロック図で、デジタルチューナを備えた液晶テレビに本発明の表示装置を適用した例を示すものである。
液晶テレビにおいて、アンテナ１０で受信したデジタル放送の受信信号は、チューナ部１１で選局され、復調部１２で復調される。復調されたデジタル放送信号のうちの映像信号は映像デコーダ１４でデコードされ、音声信号は音声デコーダ１８にてデコードされる。
【００２４】
映像デコーダ１４でデコードされた映像信号は、画質補正部１５にて画質補正が行われ、ディスプレイ表示部１７で表示される。上記の画質補正部１５では、デコードされた映像信号を処理し、ディスプレイ表示部１７に表示するための映像信号を出力する。ここでは入力された映像信号のフォーマットに応じて必要な映像処理（例えば、色空間変換処理、ＩＰ変換処理、スケーリング処理、ＦＲＣ処理、γ補正処理、色補正処理、同期検出処理など）が施される。
【００２５】
ディスプレイ表示部１７は、液晶パネルとバックライトとを備えたもので、画質補正部１５から出力された映像信号に基づいて、映像表示を行う。ディスプレイ表示部１７は、本発明の表示部に該当する。
バックライト制御部２２は、マイコン２６の指示に従って、ディスプレイ表示部１７のバックライトの明るさを制御する。
【００２６】
ＯＳＤ（on screen display）制御部１３は、マイコン２６によるＯＳＤ信号の生成指示に基づいて、ディスプレイ表示部１７に表示させるＯＳＤ信号を生成する制御を行う。また、受信した放送チャンネルの放送信号に含まれるデータ信号のＯＳＤ情報に従ってＯＳＤ信号を生成する制御を行う。ＯＳＤ信号により表示される情報としては、例えば、画面上で選択操作を行うためのカーソルや、各種設定用のメニュー、ＥＰＧ（Electronic Program Guide）、ＣＨ（チャンネル）コールなどがある。カーソルは、本発明のフォーカスに該当し、カーソルのある位置がフォーカスがおかれている位置となる。
【００２７】
また、音声デコーダ１８でデコードされた音声信号は、音質補正部１９にて音質補正が行われ、Ｄ／Ａ変換部２０でＤ／Ａ変換され、スピーカ２１によって音声出力される。
【００２８】
マイコン２６は、液晶テレビの各部を制御する制御手段である。ＲＯＭ２８には、本液晶テレビの動作を制御するプログラムや各種データが保持され、マイコン２６がこれらプログラムやデータを用いて制御を行う。ＲＡＭ２７は、データの一時保存に使用され、またプログラム実行時のワークエリアとして使用される。またＲＡＭ２７は、後述のＵＳＢ（Universal Serial Bus。以下、ＵＳＢと言う）メモリから読み出して展開したサムネイル画像や画像データ本体のバックバッファとして機能する。
【００２９】
ＯＰＣセンサ２５は、液晶テレビの周囲の明るさを検出するセンサである。ＯＰＣセンサ２５の出力とバックライトとを連動させるモードにおいて、マイコン２６は、ＯＰＣセンサ２５により検出した明るさ検出結果に応じて、バックライト制御部２２を制御してバックライトの発光輝度を変化させる。また、マイコン２６は、入力した映像信号のＡＰＬ（Average Picture Level）などの映像特徴量に応じてバックライトの明るさを変換させるような制御を行ってもよい。
【００３０】
インジケータＬＥＤ（Light Emitting Diode）制御部２４は、液晶テレビにインジケータとして設けられるＬＥＤの発光を制御する。ＲＴＣ（real-time clock）２９は、液晶テレビの電源が切られていても現在時刻を刻み続ける時計である。
Ｒ／Ｃ受信部２３は、図示しないリモコンから送信される制御コード信号を受信し、マイコンに２６に送出する。マイコン２６では、Ｒ／Ｃ受信部２３から送られた制御コード信号に従って所定の制御を行う。リモコンは、本発明の操作入力部に該当する。
【００３１】
ＵＳＢインタフェース３０は、ＵＳＢメモリを装着し、データの読み出し・書き込みを可能とするためのインタフェースである。また、複数のポートを持ったＵＳＢハブを接続することもできる。
【００３２】
表示装置では、マイコン２６の制御によって、ＵＳＢインタフェース３０に装着されたＵＳＢメモリから画像データを読み取り、ディスプレイ表示部１７に表示させることができる。このときに、ＵＳＢメモリに記録されている画像データのサムネイル画像を読み取って、サムネイル画像を一覧的に表示させることができる。また、画像データにサムネイル画像がない場合には、画像データ自体を読み込んでサムネイル画像を生成する処理を行う。マイコン２６の制御によってサムネイル画像を生成する場合、ＵＳＢメモリに記録した画像データのサムネイル画像を読み出してサムネイル画像の生成に使用するか、もしくはサムネイル画像がない画像データの場合には、画像データ自体を読み出してその画像データからサムネイル画像を生成する。
【００３３】
さらに、サムネイル表示画面からユーザ操作によって特定のサムネイル画像が選択されると、ＵＳＢメモリから読み出された画像データ（画像データ本体）がディスプレイ表示部１７に表示される。ここでＵＳＢメモリから画像データを読み出してディスプレイ表示部１７に表示させるための制御を行う本発明の表示制御部は、マイコン２６の機能によって実現される。
【００３４】
ＵＳＢメモリに記録された画像データ（サムネイルも含む）は、通常ＪＰＥＧなどの圧縮データとして記録されている。マイコン２６では、サムネイル画像や画像データ（画像データ本体）を読み出して展開（解凍）し、ＲＡＭ２７に保持させた上で、ディスプレイ表示部１７に表示させる。展開のためのプログラムはＲＯＭ２８に保持され、マイコン２６では、そのプログラムを使用して、ＵＳＢメモリから読み出したサムネイル画像や画像データ（画像データ本体）の展開を行う。画像データ本体やサムネイル画像を保持するＲＡＭ２７は、本発明に記憶部に相当する。
【００３５】
ここで、本実施形態の液晶テレビでは、ＵＳＢメモリから読み出したサムネイル画像や画像データ本体を記憶するために使用できるＲＡＭ２７の容量に制限があり、ＵＳＢメモリに複数の画像データが記録されている場合には、その全ての画像データを先に読み込んでＲＡＭ２７に展開しておくことができない状態であるものとする。
例えば、図示するＲＡＭ２７の一部として、ＵＳＢメモリの画像処理専用のＲＡＭ領域が設定された構成で、使用できるＲＡＭの容量に制限があるものとする。例えばこのＲＡＭ領域には、画像データ２枚分程度の記憶領域が用意されている程度であるものとする。このような構成では、製造コストを抑えた簡易な構造を実現できるというメリットがある。
【００３６】
上記のような構成で、サムネイル表示画面や画像データの表示と、これらの表示画面の切り替えを行う際に、ユーザが違和感を生じないように、マイコン２６は、次に表示するサムネイル画像や画像データをＵＳＢメモリから読み出して、ＲＡＭ２７に展開しておく処理を実行する。ここでは、サムネイル画像や画像データをディスプレイ表示部１７に表示させているときに、ユーザ操作によって次に表示させる可能性のあるサムネイル画像や画像データ、もしくはスライドショーにより次に表示すべき画像データを、ＵＳＢメモリから読み出してＲＡＭ２７に展開しておく。これにより、ユーザ操作が行われたとき、あるいはスライドショーで画像データが切り替えられたときに、ＲＡＭ２７に展開してある画像データをただちに表示させることができる。
本実施形態の構成では、このようにメモリの容量に制限があってもサムネイル画像の選択や切り替え、及び画像データの表示を、ユーザが煩わしさを感じることなく迅速に実行できるようにすることができる。
【００３７】
また、本実施形態では、一画面内に表示したサムネイル画像のなかから特定のサムネイル画像を選択するためにフォーカスを移動させる操作入力を、リモコンに備えられた方向キーによって実行可能としている。そして、サムネイル画像を次または前のサムネイル画像に切り替える操作入力についても、同じ方向キーによって実行可能としている。例えば一画内で左右の方向キーにより、フォーカスを左右に移動させることができる。
そして、サムネイルから選択された画像データを一枚絵として表示している状態で、同じ方向キーを操作することで、次の画像データの一枚絵を表示可能としている。
【００３８】
以下に上記液晶テレビにおける動作例を更に具体的に説明する。
まず本発明に係る実施形態の液晶テレビにおけるサムネイル表示処理を説明する。本実施形態の液晶テレビには、外部機器からの入力を可能とするための複数の外部入力端子が備えられ、その外部入力端子の入力を切り替える操作が可能となっている。外部入力端子としては、Ｄ端子、Ｓ端子、ビデオ端子、ＨＤＭＩ端子などが適用可能である。また本実施形態では、外部入力の１つとしてＵＳＢ入力端子（ＵＳＢインタフェース）が設けられている。
【００３９】
例えば、図２の画面は、液晶テレビにＯＳＤにより表示される入力切り替え画面の一例である。切り替え可能な入力としてＴＶ、ＥＸＴ１〜ＥＸＴ７（外部入力）、及びＵＳＢが設定されている。ユーザは、リモコンの操作キーを使用してＵＳＢを選択することで、ＵＳＢメモリからの画像データの読み込みを行うことができる。ここでは例えば、リモコンに対して入力切り替え専用ボタンを備えておき、このボタン操作によって入力を切り替えられるようにすることができる。またこのとき、ＵＳＢ入力端子にＵＳＢメモリが装着されていないときには、図２のＵＳＢの表示部分がハッチングされ、選択できないようになっている。
【００４０】
図３は、本発明に係る実施形態の液晶テレビにおけるサムネイル表示処理例を説明するためのフローチャートである。以下の表示処理は、主に液晶テレビのマイコン２６の制御によって実行される。
図２のメニューからユーザ操作によってＵＳＢが選択されると、ＵＳＢトップ画面が表示される（ステップＳ１）。ＵＳＢトップ画面では、ＵＳＢメモリに記録したデータの利用モードとして、フォトモード（ＰＨＯＴＯ ＭＯＤＥ）及びオーディオモード（ＡＵＤＩＯ ＭＯＤＥ）のいずれがかが選択可能となる。ここでユーザ操作によってフォトモードが選択されることにより、フォトモードが開始される（ステップＳ２）。
【００４１】
この場合、メニューの入力切り替え及びフォトモードの選択操作によって、フォトモードが開始されるが、ＵＳＢ入力端子にＵＳＢメモリが装着されたときに、自動的にＵＳＢトップ画面表示に移行し、フォトモードまたはオーディオモードを選択する操作を可能としてもよい。
【００４２】
フォトモードが開始されると、液晶テレビでは、ＵＳＢメモリに記憶されているファイルのファイルリストを抽出する（ステップＳ３）。この場合、所定の形式のファイル、例えばＪＰＥＧファイル（拡張子が“ｊｐｇ”のファイル）のみを検索し、そのファイルのファイル名を抽出して読み出す。そして液晶テレビでは、ＵＳＢメモリから抽出されたファイル数により、総頁数を算出する（ステップＳ４）。総頁数とは、抽出したファイルごとのサムネイルを一覧で表示するために使用する表示画面の枚数に相当するものである。サムネイル画像を表示する際には、予め一画面内のサムネイル画像の表示数が定められている。この一画面内の表示数と、ＵＳＢメモリから抽出したファイル数とに基づいて、全てのファイルのサムネイル画像を表示するための画面数（頁数）を算出する。
【００４３】
次に液晶テレビでは、ＵＳＢメモリから抽出されたファイルをソートし（ステップＳ５）、そのソートの順にＪＰＥＧファイルのサムネイル画像を表示させる（ステップＳ６）。このときのソートは、例えばディレクトリ内の画像データのエントリ順（記録日時順）とすることができる。あるいは、ファイル名のＡＢＣ順にソートを行ってもよく、あるいはその他の所定の属性情報に基づいて行うようにしてもよい。サムネイル画像の表示処理例については、以下に具体的に説明する。
【００４４】
図４は、サムネイル画像の表示処理例を説明するためのフローチャートである。
図３の処理に続いてサムネイル画像の表示処理が開始されると、液晶テレビでは、該当ファイルにサムネイル画像が存在するかどうかを判別する（ステップＳ１１）。該当ファイルとは、最初の一画面分のＪＰＥＧ画像のサムネイル画像を表示するときに、表示すべきサムネイル画像の描画（生成）処理を行う対象となるファイルを指す。
ここで該当ファイルにサムネイル画像が存在すれば、サムネイル画像の高速描画を行う（ステップＳ１２）。つまり、画像データのＪＰＥＧファイルにサムネイル画像が含まれているため、このサムネイル画像を読み出して展開することで、高速にサムネイル画像を描画することができる。
【００４５】
一方、ステップＳ１１で該当ファイルにサムネイル画像が存在しなければ、液晶テレビでは、ＵＳＢメモリから画像データ本体を読み出して展開し、これをサムネイルサイズに縮小する（ステップＳ１３）。この処理は、画像データ本体の全展開を行った後縮小する必要であり、低速な処理となる。
【００４６】
ステップＳ１２における高速のサムネイル描画処理またはステップＳ１３における低速のサムネイル描画処理の後、全てのファイル数のサムネイル画像の描画が完了したかどうかを判別する（ステップＳ１４）。そして、サムネイル画像の描画が完了していなければ、ステップＳ１１に戻って、次の該当ファイルのサムネイル画像の描画処理を行う。また、サムネイル画像の描画が完了したならば、サムネイルを一覧的に示すサムネイル表示画面を表示させる（ステップＳ１５）。
【００４７】
そして、サムネイル表示画面において、ユーザ操作によって特定のサムネイル画像が選択され（つまりフォーカスが特定のサムネイル上におかれ）、決定キーが押されると、選択されたサムネイル画像に該当するＪＰＥＧ画像データを一枚絵として表示させる（ステップＳ１６）。また、サムネイル表示画面において、ユーザ操作によって特定のサムネイル画像が選択され、さらにスライドショーを指定する操作が行われた場合には、ＪＰＥＧスライドショーを実行する（ステップＳ１７）。
【００４８】
図５は、サムネイルの表示画面の一例を示す図である。この例では、一画面内に１２枚分のサムネイル画像を表示できるようにしているが、画像データのサムネイル画像とともに、フォルダアイコンを表示させるようにしている。図５の例のように、サムネイル表示画面１００には、現在フォルダ名を示すフォルダアイコン１０１と、サブフォルダがある場合にはサブフォルダアイコン１０２とを表示する。そして残りの表示領域にサムネイル画像１０３を表示する。サムネイル画像１０３の配列順は、例えばディレクトリ内のエントリ順とし、左上から右横方向に配列し、各行においても左から右に配列し、右下角が配列の最後とするように予め定めておく。サムネイル画像の表示サイズは、例えば、３２０×４２０（ｄｏｔ）の４：３（Ｗ：Ｈ）の画像サイズであり、４：３以外のサムネイル画像は、このサイズに収まるようにフィットさせて表示させる。
【００４９】
また、サムネイル表示画面１００では、ＪＰＥＧファイルのみをＵＳＢメモリから抽出して表示しているが、サムネイル画像の画像データがディスプレイ表示部１７で表示できない画像データである場合には、サムネイル表示画面１００の該当部分に×マーク１０４を表示させる。表示できない画像データとは、ＪＰＥＧファイルであっても規格外であったり、ファイルの中身（データ）が壊れていたりするものである。規格外とは、本液晶テレビで表示できない規格のＪＰＥＧファイルであることを指す。また、画像データの容量が所定の上限容量を超える大きなものであったり、ピクセルサイズ（画像データのサイズ）が所定の上限値を越えていたりした場合にも表示不可能とする。
【００５０】
このように、サムネイル画像を表示する際に、ディスプレイ表示部１７で表示できない画像データであることが判別された場合には、マイコン２６は、表示できないことを明示してサムネイル表示画面を表示させる。×マーク１０４は、表示できないことを明示する形態の一例であり、適宜他の形態の表示方法を適用することができる。
【００５１】
このサムネイル表示画面１００において、ユーザがリモコンを操作してフォーカスを任意の位置に移動させて選択することにより、選択したサムネイル画像の画像データを一枚絵として表示させることができる。サムネイル画像を選択する場合、サムネイル表示画面１００画面内に表示したサムネイル画像のなかから特定のサムネイル画像を選択するためにフォーカスを移動させる操作入力は、リモコンに備えられた方向キーによって実行可能となっている。リモコンには、左右上下の４つの方向キーと決定キーが備えられている。サムネイル表示画面１００内におけるフォーカスの移動は、これら４つの方向キーによって可能となっている。
【００５２】
そして、フォーカスがおかれているサムネイル画像を選択して一枚絵の画像データを表示させる場合には、ユーザはリモコンの決定キーを押す。これにより一枚絵の全画面表示が行われる。そして、サムネイル表示画面１００が複数頁あるときに、現在のサムネイル表示画面を次または前のサムネイル表示画面に切り替える操作についても、同じ方向キーによって実行可能としている。ここでは、サムネイル表示画面１００において、エントリ配列の最後である右下角のサムネイル画像にフォーカスが位置しているとき、さらに右方向キーを操作することで、次の頁のサムネイル表示画像を表示させることができる。次の頁のサムネイル表示画面においては、画面内の配列の最初である左上のサムネイル画像上にフォーカスが表示される。
【００５３】
また、同様にエントリ配列方向の最初である左上のサムネイル画像にフォーカスが位置しているとき、さらに左方向キーを操作することで、前の頁のサムネイル表示画面を表示させることができる。前の頁のサムネイル表示画面においては、画面内の配列の最後である右下のサムネイル画像上にフォーカスが表示される。ただし図５の例は、１頁目のサムネイル表示画像であり、その前の頁のサムネイル表示画像は存在しないため、前の頁に切り替える操作は不可能である。
【００５４】
このように、リモコンに備えられた同じ方向キーにより、サムネイル表示画面におけるサムネイル画像の選択と、サムネイル表示画面の頁切り替えとを実行できるようにすることで、サムネイル画像の選択に煩わしさを感じることなく簡単な操作で実行することができる。
【００５５】
図６は、サムネイル画像の選択により表示される一枚絵の全画面表示例を示す図である。５に示すようなサムネイル表示画面でサムネイル画像を選択して決定すると、図６に示すような一枚絵の画像データを表示させることができる。この表示状態で、さらに右の方向キーをユーザが操作することにより、サムネイル表示画面に表示された次のサムネイル画像に該当する画像データを一枚絵で全画面表示させることができる。同様に左キーを操作すれば、サムネイル表示画面に表示された１つ前のサムネイル画像に該当する画像データを一枚絵で全画面表示させることができる。
【００５６】
この場合に、サムネイル表示画面１００で×マーク１０４が表示された画像データについては、図６のような一枚絵の表示状態で方向キーが操作されて画像データが切り替えられた場合も、スキップして次の画像データを表示させるようにする。
【００５７】
本実施形態に係る構成では、サムネイル表示画面の切り替えを行う際に、ユーザが違和感を生じないように、マイコン２６は、次に表示するサムネイル画像をＵＳＢメモリから読み出して、ＲＡＭ２７に展開しておく処理を実行する。ここでは、サムネイル画像や画像データをディスプレイ表示部１７に表示させているときに、ユーザ操作によって次に表示させる可能性のあるサムネイル画像を、ＵＳＢメモリから読み出してＲＡＭ２７に展開しておく。
【００５８】
サムネイル表示画面の切り替えを行う際、上記のように、サムネイル表示画面１００において、エントリ配列の最後である右下角のサムネイル画像にフォーカスが位置しているとき、さらに右方向キーを操作することで、次の頁のサムネイル表示画面を表示させることができる。また、エントリ配列方向の最初である左上のサムネイル画像にフォーカスが位置しているとき、さらに左方向キーを操作することで、前の頁のサムネイル表示画面を表示させることができる。
【００５９】
つまりこの例では、右下角のサムネイル画像にフォーカスが位置しているときには、次の頁のサムネイル表示画面が選択される可能性が大きい。従ってマイコン２６は、右下角のサムネイル画像にフォーカスが移動した時点で、次の頁のサムネイル表示画面データをＵＳＢメモリから先読みして、ＲＡＭ２７に展開しておく。これにより、ユーザ操作によって次の頁のサムネイル表示画面を表示する指示が行われたとき、ＲＡＭ２７に展開してあるサムネイル表示画面をただちに表示させることができる。同様にマイコン２６は、左上角のサムネイル画像にフォーカスが移動した時点で、前の頁のサムネイル表示画面データをＵＳＢメモリから先読みして、ＲＡＭ２７に展開しておくことで、ユーザ操作に応じてただちに前の頁のサムネイル表示画面を表示させることができる。このように本実施形態の構成により、メモリの容量に制限があってもサムネイル画像の選択や切り替えを、ユーザが煩わしさを感じることなく迅速に実行できるようにすることができる。
【００６０】
さらに本実施形態では、図６に示すような一枚絵を表示した状態では、マイコンは次の画像データをＵＳＢメモリから先読みし、ＲＡＭ２７に展開して保持しておく処理を行う。この処理はスライドショーの場合にも同様に行う。これにより、ユーザ操作によって画像データを切り替える指示が行われたとき、あるいはスライドショーで画像データが切り替えられたときに、ＲＡＭ２７に展開してある画像データをただちに表示させることができる。
【００６１】
また、上記のように画像データを先読みしてＲＡＭ２７に展開しておく場合に、サムネイル表示画面１００で×マーク１０４が表示された画像データについては、先読みを行うことなく、その画像データをスキップして次の画像データをＵＳＢから先読みして展開する。また、サムネイル画像は表示可能であって、画像データを先読みした段階で表示できないことが分かった場合には、その画像データはスキップしてさらに次の画像データの先読みを行うようにする。
【００６２】
つまり、マイコン２６は、選択されたサムネイル画像に該当する画像データを表示しているとき、もしくはスライドショーで画像データを表示しているとき、次に表示すべき画像データをＵＳＢメモリから読み出して展開し、ＲＡＭ２７のバックバッファに記憶保持しておく。そしてマイコン２６は、画像データをＵＳＢメモリから読み出して展開する際に、次に配列されている画像データが、ディスプレイ表示部１７で表示できない画像データである場合、その表示できない画像データをスキップし、ディスプレイ表示部１７で表示可能な画像データを次に表示すべき画像データとして展開し、ＲＡＭ２７のバックバッファに記憶保持しておくようにする。
【００６３】
図７は、画像データの一枚絵を表示するときの処理の一例を説明するためのフローチャートである。サムネイル表示画面においてユーザ操作によって特定サムネイル画像が選択されることで、マイコン２６は、選択画像データの一枚絵の表示を開始する。
ここではまず、表示する画面に収まるようにＪＰＥＧ画像データの描画を行って（ステップＳ２１）、一枚絵の表示完了させる（ステップＳ２２）。そして、方向キーの左キーが操作された場合には、１つ前のＪＰＥＧ画像データの一枚絵を表示させる（ステップＳ２３）。また、方向キーの右キーが操作された場合には、次のＪＰＥＧ画像データの一枚絵を表示させる（ステップＳ２４）。この場合には先読みしてＲＡＭ２７に展開しておいた画像データを表示させることができる。
【００６４】
また、一枚絵の表示状態でリターンキーが操作された場合には、サムネイル表示画面に戻すようにする。さらに、一枚絵の表示状態で、特定の操作キーに対して画像回転処理を割り当てておくこともできる。例えば、リモコンに特定操作を割り当てるためのキー（赤キー、緑キーとする）があるとき、赤キーが操作されたときには画像データを左に９０度回転させて表示し（ステップＳ２６）、緑キーが操作されたときには画像データを右に９０度回転させて表示する（ステップＳ２７）。
【００６５】
図８は、スライドショーにより画像データの一枚絵を順次表示するときの処理の一例を説明するためのフローチャートである。サムネイル表示画面においてユーザ操作によって特定のサムネイル画像が選択され、スライドショーが指示されることで、マイコン２６は、選択画像データからのスライドショーを開始する。
ここではまず、マイコン２６は、１枚目のＪＰＥＧ画像データを通常の一枚絵として表示させる（ステップＳ３１）。このときに、スライドショーのＢＧＭがあれば、そのＢＧＭをリピート再生する。
【００６６】
そして一枚目の一枚絵の表示を完了させ（ステップＳ３２）、次のＪＰＥＧ画像データが有効な画像データかどうかを判別する（ステップＳ３３）。有効な画像データとは、規格外や壊れた画像データ等ではなく、ディスプレイ表示部１７で表示可能な画像データである。ここで、有効な画像データでなければ、そのＪＰＥＧ画像データをスキップしてその次のＪＰＥＧ画像データを選択し（ステップＳ３６）、再度ステップＳ３３に戻ってその選択した画像データが有効かどうかを判別する。
【００６７】
ステップＳ３３で画像データが有効であれば、画像データの一枚絵を表示中に、有効であった次のＪＰＥＧ画像データをバックバッファに描画する（ステップＳ３４）。つまり、次の画像データを先読みして展開し、バックバッファとして用意されたＲＡＭに保持する。
そして、バックバッファへの描画が終わったら、バックバッファの画像データをディスプレイ表示部１７に転送する。この後、ステップＳ３３に戻って全ての対象画像データのスライドショーが終了するまで処理を繰り返す。
【００６８】
図９は、ＪＰＥＧファイルの構成を説明するための図である。
ＪＰＥＧファイルは、概略的にはＪＰＥＧヘッダ、ＥＸＩＦヘッダ、サムネイルデータ、画像データ（画像データ本体）の４つの要素から構成されるものと考えることができる。ＪＰＥＧヘッダには、画像データのサイズ（例えば１６００×１２００）などのＪＰＥＧの基本的な情報が格納されている。またＥＸＩＦヘッダには、画像データとして記録された写真の撮影日付や、ＩＳＯ感度、シャッタースピードなど、カメラ特有の情報が格納されている。サムネイルは、画像データ本体を例えば１６０×１２０の大きさに縮小したＪＰＥＧ画像である。また、画像データ本体は、ＪＰＥＧ画像そのものとなる。これらの要素の中で、必須となるのはＪＰＥＧヘッダ、及び画像データ本体となる。
【００６９】
これらのことから、ＪＰＥＧファイルが取り得る構成は、図９（Ａ）〜図９（Ｄ）に示す４通りの構成となる。ファイル１では、サムネイル、ＥＸＩＦヘッダ、ＪＰＥＧヘッダ、画像データ本体が含まれている。またファイル２では、ＥＸＩＦヘッダ、ＪＰＥＧヘッダ、画像データ本体が含まれている。ファイル３では、サムネイル、ＪＰＥＧヘッダ、画像データ本体が含まれている。ファイル４では、ＪＰＥＧヘッダ、画像データ本体が含まれている。
サムネイルがないＪＰＥＧデータの場合には、画像データ本体を全展開した後、その画像データを縮小してサムネイル画像を生成する処理が行われる。
【００７０】
なお、上記の例では、外部メモリからＪＰＥＧファイルのみを抽出して表示させる処理例を説明したが、ＪＰＥＧとは異なるフォーマットのファイル適用することもできる。例えば、ＺＩＰ，ＬＺＨ，ＧＩＦ，ＰＮＧなど、あるいは他の特定のファイルを対象として画像データを表示させる処理を行うようにしてもよい。
【図面の簡単な説明】
【００７１】
【図１】本発明の表示装置の構成例を示すブロック図である。
【図２】本発明の実施形態の液晶テレビにＯＳＤにより表示される入力切り替え画面の一例を示す図である。
【図３】本発明に係る実施形態の液晶テレビにおけるサムネイル表示処理例を説明するためのフローチャートである。
【図４】サムネイル画像の表示処理例を説明するためのフローチャートである。
【図５】サムネイルの表示画面の一例を示す図である。
【図６】サムネイル画像の選択により表示される一枚絵の全画面表示例を示す図である。
【図７】画像データの一枚絵を表示するときの処理の一例を説明するためのフローチャートである。
【図８】スライドショーにより画像データの一枚絵を順次表示するときの処理の一例を説明するためのフローチャートである。
【図９】ＪＰＥＧファイルの構成を説明するための図である。
【符号の説明】
【００７２】
１１…チューナ部、１２…復調部、１３…制御部、１４…映像デコーダ、１５…画質補正部、１７…ディスプレイ表示部、１８…音声デコーダ、１９…音質補正部、２０…Ｄ／Ａ変換部、２１…スピーカ、２２…バックライト制御部、２３…Ｒ／Ｃ受信部、２４…制御部、２５…ＯＰＣセンサ、２６…マイコン、２７…ＲＡＭ、２８…ＲＯＭ、３０…ＵＳＢインタフェース、１００…サムネイル表示画面、１０１…フォルダアイコン、１０２…サブフォルダアイコン、１０３…サムネイル画像、１０４…×マーク。
【図１】
2010049317.tif 000003
【図２】
2010049317.tif 000004
【図３】
2010049317.tif 000005
【図４】
2010049317.tif 000006
【図５】
2010049317.tif 000007
【図６】
2010049317.tif 000008
【図７】
2010049317.tif 000009
【図８】
2010049317.tif 000010
【図９】
2010049317.tif 000011